(57)【要約】【課題】各種電子機器に使用されるチップ形固体電解コンデンサの更なる低ＥＳＬ化を図ることを目的とする。【解決手段】長手方向に陽極電極部３と陰極電極部４を設けた平板状のコンデンサ素子１を幅方向を上下にした状態で厚み方向に複数積層した素子積層体５と、この素子積層体５の陽極電極部３を上面に接合した陽極端子７と、同じく陰極電極部４を上面に接合した陰極端子８と、上記陽極端子７ならびに陰極端子８の実装面となる下面が露呈する状態でこれらを被覆した絶縁性の外装樹脂１０からなる構成により、コンデンサ素子１の陽極電極部３と陰極電極部４を最短距離で結ぶ構成で陽極端子７ならびに陰極端子８を配置することによって電流のループ面積を小さくすることができるため、ＥＳＬを大幅に低減することができる。【選択図】図１
2008135424.tif 000002
【特許請求の範囲】
【請求項１】
長手方向に陽極電極部と陰極電極部を設けた平板状のコンデンサ素子を幅方向を上下にした状態で厚み方向に複数積層した素子積層体と、この素子積層体の陽極電極部を上面に接合した陽極端子と、同じく陰極電極部を上面に接合した陰極端子と、上記陽極端子ならびに陰極端子の実装面となる下面が露呈する状態でこれらを被覆した絶縁性の外装樹脂からなるチップ形固体電解コンデンサ。
【請求項２】
長手方向の両端に陽極電極部、同中央部に陰極電極部を設けた平板状のコンデンサ素子を幅方向を上下にした状態で厚み方向に複数積層した素子積層体と、この素子積層体の陽極電極部を上面に接合した一対の陽極端子と、同じく陰極電極部を上面に接合した陰極端子と、上記陽極端子ならびに陰極端子の実装面となる下面が露呈する状態でこれらを被覆した絶縁性の外装樹脂からなるチップ形固体電解コンデンサ。
【請求項３】
素子積層体を構成するコンデンサ素子の各陽極電極部を一体に接合する陽極接合部材を設け、この陽極接合部材を陽極端子の上面に接合した請求項１または２に記載のチップ形固体電解コンデンサ。
【請求項４】
陽極端子の実装面となる下面の両端に段部または薄肉部を設け、この段部または薄肉部が夫々外装樹脂で被覆されるようにした請求項１または２に記載のチップ形固体電解コンデンサ。
【請求項５】
陰極端子の実装面となる下面の両端を除く部分に段部または薄肉部を設け、この段部または薄肉部が外装樹脂で被覆されるようにした請求項２に記載のチップ形固体電解コンデンサ。
【発明の詳細な説明】
【技術分野】
【０００１】
本発明は各種電子機器に使用されるコンデンサの中で、導電性高分子を固体電解質に用い、かつ、面実装対応にしたチップ形固体電解コンデンサに関するものである。
【背景技術】
【０００２】
電子機器の高周波化に伴って電子部品の一つであるコンデンサにも従来よりも高周波領域でのインピーダンス特性に優れたコンデンサが求められてきており、このような要求に応えるために電気伝導度が高い導電性高分子を固体電解質に用いた固体電解コンデンサが種々検討されている。
【０００３】
また、近年、パーソナルコンピュータのＣＰＵ周り等に使用される固体電解コンデンサには小型大容量化が強く望まれており、更に高周波化に対応して低ＥＳＲ（等価直列抵抗）化のみならず、ノイズ除去や過渡応答性に優れた低ＥＳＬ（等価直列インダクタンス）化が強く要求されており、このような要求に応えるために種々の検討がなされている。
【０００４】
図３はこの種の従来のチップ形固体電解コンデンサの構成を示した斜視図、図４は同チップ形固体電解コンデンサの内部構造を示した斜視図であり、図３と図４において、２０は導電性高分子を固体電解質に用いたコンデンサ素子、２１はこのコンデンサ素子２０の陽極部、２２は同陰極部、２３は同絶縁部であり、このように構成された２枚のコンデンサ素子２０を互いに反対方向に重ねて配設したものである。
【０００５】
２４は上記コンデンサ素子２０の陽極部２１に一端が接続された陽極リード端子、２５は同じくコンデンサ素子２０の陰極部２２に一端が接続された陰極リード端子、２６はこれらをモールドした外装樹脂であり、これにより固体電解コンデンサが形成され、この固体電解コンデンサの側面と底面に陽極リード端子２４と陰極リード端子２５が夫々対向して表出し、４端子構造の固体電解コンデンサを構成するようにしたものであった。
【０００６】
このように構成された従来のチップ形固体電解コンデンサは、高周波特性ならびにノイズ吸収性に優れ、低ＥＳＬ化を実現できるというものであった。
【０００７】
なお、この出願の発明に関連する先行技術文献情報としては、例えば、特許文献１が知られている。
【特許文献１】特開平６−１２００８８号公報
【発明の開示】
【発明が解決しようとする課題】
【０００８】
しかしながら上記従来のチップ形固体電解コンデンサでは、１枚のコンデンサ素子または複数枚のコンデンサ素子を積層して外装樹脂でモールドし、陽極／陰極端子を夫々引き出した、一般的な２端子構造のものと比べると、高周波特性に優れ、かつ低ＥＳＬ化も実現してはいるものの、この構造においてはＥＳＬを５００ｐＨ程度に押さえ込むのが限界であり、昨今の市場において加速する要求である２００ｐＨ以下というレベルに対してはまだまだ不十分であり、更なる低ＥＳＬ化が必要であるという課題があった。
【０００９】
本発明はこのような従来の課題を解決し、更なる低ＥＳＬ化を実現することが可能なチップ形固体電解コンデンサを提供することを目的とするものである。
【課題を解決するための手段】
【００１０】
上記課題を解決するために本発明は、長手方向に陽極電極部と陰極電極部を設けた平板状のコンデンサ素子を幅方向を上下にした状態で厚み方向に複数積層した素子積層体と、この素子積層体の陽極電極部を上面に接合した陽極端子と、同じく陰極電極部を上面に接合した陰極端子と、上記陽極端子ならびに陰極端子の実装面となる下面が露呈する状態でこれらを被覆した絶縁性の外装樹脂からなる構成にしたものである。
【発明の効果】
【００１１】
以上のように本発明によるチップ形固体電解コンデンサは、コンデンサ素子の陽極電極部と陰極電極部を最短距離で結ぶ構成で陽極端子ならびに陰極端子を配置することによって電流のループ面積を小さくすることができるため、ＥＳＬを大幅に低減することができるという効果が得られるものである。
【発明を実施するための最良の形態】
【００１２】
（実施の形態１）
以下、実施の形態１を用いて、本発明の特に請求項１、３、４に記載の発明について説明する。
【００１３】
図１（ａ）〜（ｅ）は本発明の実施の形態１によるチップ形固体電解コンデンサの構成を示した平面断面図、正面断面図、側面断面図、底面断面図、底面図であり、図１において、１はコンデンサ素子を示し、このコンデンサ素子１は、表面を粗面化して誘電体酸化皮膜層が形成された弁作用金属からなる陽極体の所定の位置に絶縁部２を設けて陽極電極部３と陰極形成部（図示せず）に分離し、この陰極形成部の誘電体酸化皮膜層上に導電性高分子からなる固体電解質層、カーボンと銀ペーストからなる陰極層（全て図示せず）を順次積層形成することにより陰極電極部４を形成し、これにより長手方向に陽極電極部３と陰極電極部４が設けられた平板状のコンデンサ素子１が構成されているものである。
【００１４】
５は上記コンデンサ素子１を複数枚積層した素子積層体であり、この素子積層体５はコンデンサ素子１の幅方向を上下にした状態で同一方向に揃えて厚み方向に複数枚（本実施の形態においては６枚）を積層することにより構成されたものであり、各陰極電極部４間は図示しない導電性銀ペーストにより接着され、各陽極電極部３は陽極接合部材６の一部を陽極電極部３の外周に巻き付けて束ねるようにし、抵抗溶接等の手段によって結束しているものであるが、この陽極接合部材６は必要不可欠な部材ではない。
【００１５】
７は陽極端子、７ａはこの陽極端子７の実装面となる下面の両端を上方に折り曲げることにより設けられた段部、７ｂはこの陽極端子７の一部を突出させて後述する外装樹脂の側面に沿って上方へ折り曲げた折り曲げ部であり、上記素子積層体５の各陽極電極部３を結束した陽極接合部材６をこの陽極端子７上に搭載し、抵抗溶接等の手段によって機械的かつ電気的に接合するようにしているものである。
【００１６】
８は陰極端子、８ａはこの陰極端子８の実装面となる下面の両端を上方に折り曲げることにより設けられた段部、８ｂはこの陰極端子８の一部を突出させて後述する外装樹脂の側面に沿って上方へ折り曲げた折り曲げ部であり、上記素子積層体５の陰極電極部４をこの陰極端子８上に搭載し、導電性銀ペースト９により機械的かつ電気的に接合するようにしているものである。
【００１７】
１０は絶縁性の外装樹脂であり、この外装樹脂１０は上記素子積層体５、陽極端子７の一部、陰極端子８の一部を一体に被覆することにより、実装面となる下面には陽極端子７と陰極端子８の中央部分のみが対向する２箇所に露呈した構造を実現したものであり、上記陽極端子７に設けた段部７ａ、陰極端子８に設けた段部８ａもこの外装樹脂１０に被覆されて外観には表出しないようにしているものである。
【００１８】
このように構成された本実施の形態によるチップ形固体電解コンデンサは、コンデンサ素子の厚み方向を上下方向として複数枚を積層した従来の構成に比べて、コンデンサ素子の幅方向を上下方向とした構成により、コンデンサ素子の幅寸法を小さくしてチップ形固体電解コンデンサの高さ寸法を抑え、かつ、コンデンサ素子の厚み方向にコンデンサ素子を積層する枚数を多くすることによってＥＳＲの低減を図ることが可能になり、更にＥＳＬを２／３に低減することができるようになるという格別の効果を奏するものである。
【００１９】
また、上記陽極端子７ならびに陰極端子８の一部に、外装樹脂１０の側面に沿って上方へ折り曲げた折り曲げ部７ｂ、８ｂを設けた構成により、半田付け作業時に半田フィレットが形成され易くなるばかりでなく、半田付け状態を上面から確認できるようになるという効果が得られ、信頼性の高い半田付け作業を行うことが可能になるものである。
【００２０】
なお、本実施の形態においては、コンデンサ素子１を６枚積層して素子積層体５を構成した例を用いて説明したが、本発明はこれに限定されるものではなく、コンデンサ素子の積層枚数は要望される仕様や作業性等に応じて適宜決定すれば良いものであるが、本発明による効果をより多く引き出すためには、コンデンサ素子１の幅寸法を小さくし、積層枚数を可能な限り多くする方が好ましいものである。
【００２１】
（実施の形態２）
以下、実施の形態２を用いて、本発明の特に請求項２、５に記載の発明について説明する。
【００２２】
本実施の形態は、上記実施の形態１で図１を用いて説明したチップ形固体電解コンデンサのコンデンサ素子ならびに陰極端子の構成が一部異なるようにしたものであり、これ以外の構成は実施の形態１と同様であるために同一部分には同一の符号を付与してその詳細な説明は省略し、異なる部分についてのみ以下に図面を用いて説明する。
【００２３】
図２（ａ）〜（ｅ）は本発明の実施の形態２によるチップ形固体電解コンデンサの構成を示した平面断面図、正面断面図、側面断面図、底面断面図、底面図であり、図２において、１１はコンデンサ素子を示し、このコンデンサ素子１１は、表面を粗面化して誘電体酸化皮膜層が形成された弁作用金属からなる陽極体の両端近傍に絶縁部１２を設けることにより２つの陽極電極部１３と、この陽極電極部１３間に設けられる陰極形成部（図示せず）に分離し、この陰極形成部の誘電体酸化皮膜層上に導電性高分子からなる固体電解質層、カーボンと銀ペーストからなる陰極層（全て図示せず）を順次積層形成することにより陰極電極部１４を形成し、これにより長手方向の両端に陽極電極部１３、同中央部に陰極電極部１４が設けられた平板状のコンデンサ素子１１が構成されているものである。
【００２４】
１５は上記コンデンサ素子１１を複数枚積層した素子積層体、１６はこの素子積層体１５の陽極電極部１３を結束した陽極接合部材であり、この陽極接合部材１６は上記実施の形態１と同様に必要不可欠な部材ではない。
【００２５】
１７は上記素子積層体１５の両端の陽極電極部１３を結束した陽極接合部材１６を上面に搭載し、抵抗溶接等の手段によって機械的かつ電気的に接合した一対の陽極端子、１７ａは段部、１７ｂは折り曲げ部である。
【００２６】
１８は上記素子積層体１５の中央に位置する陰極電極部１４を上面に搭載し、図示しない導電性銀ペーストにより機械的かつ電気的に接合した陰極端子、１８ａはこの陰極端子１８の実装面となる下面の両端を除く部分を折り曲げることにより設けた段部、１８ｂは折り曲げ部である。
【００２７】
１９は絶縁性の外装樹脂であり、この外装樹脂１９は上記素子積層体１５、陽極端子１７の一部、陰極端子１８の一部を一体に被覆することにより、実装面となる下面には陽極端子１７と陰極端子１８が夫々対向する２箇所に露呈した４端子構造を実現したものであり、上記陽極端子１７に設けた段部１７ａ、陰極端子１８に設けた段部１８ａもこの外装樹脂１９に被覆されて外観には表出しないようにしているものである。
【００２８】
このように構成された本実施の形態によるチップ形固体電解コンデンサは、上記実施の形態１によるチップ形固体電解コンデンサにより得られる効果に加え、陽極／陰極端子を近接配置した４端子構造によって更なる低ＥＳＬ化を図ることができると共に、実装の自由度を向上させることができるようになるという格別の効果を奏するものである。
【００２９】
以上のように構成された本実施の形態１、２によるチップ形固体電解コンデンサのＥＳＬ特性を測定した結果を比較例としての従来品と比較して（表１）に示す。
【００３０】
【表１】
2008135424.tif 000003
【００３１】
（表１）から明らかなように、本実施の形態によるチップ形固体電解コンデンサは、ＥＳＬを従来品の１／１０以下にまで低減することができ、かつ、そのバラツキも小さいことから、高周波対応に対する昨今の高い要求にも十分に対応することができるものである。
【産業上の利用可能性】
【００３２】
本発明によるチップ形固体電解コンデンサは、ＥＳＬを大きく低減することができるという効果を有し、特に高周波応答性が要求される分野等のコンデンサとして有用である。
【図面の簡単な説明】
【００３３】
【図１】（ａ）本発明の実施の形態１によるチップ形固体電解コンデンサの構成を示した平面断面図、（ｂ）同正面断面図、（ｃ）同側面断面図、（ｄ）同底面断面図、（ｅ）同底面図
【図２】（ａ）本発明の実施の形態２によるチップ形固体電解コンデンサの構成を示した平面断面図、（ｂ）同正面断面図、（ｃ）同側面断面図、（ｄ）同底面断面図、（ｅ）同底面図
【図３】従来のチップ形固体電解コンデンサの構成を示した斜視図
【図４】同チップ形固体電解コンデンサの内部構造を示した斜視図
【符号の説明】
【００３４】
１、１１  コンデンサ素子
２、１２  絶縁部
３、１３  陽極電極部
４、１４  陰極電極部
５、１５  素子積層体
６、１６  陽極接合部材
７、１７  陽極端子
７ａ、８ａ、１７ａ、１８ａ  段部
７ｂ、８ｂ、１７ｂ、１８ｂ  折り曲げ部
８、１８  陰極端子
９  導電性銀ペースト
１０、１９  外装樹脂
【図１】
2008135424.tif 000004
【図２】
2008135424.tif 000005
【図３】
2008135424.tif 000006
【図４】
2008135424.tif 000007